(57)【要約】【課題】充填物衣服の提供。【解決手段】一種の充填物衣服、表生地（Ｓｕｒｆａｃｅ  Ｆａｂｒｉｃ）、裏生地（Ｌｉｎｉｎｇ）および裏生地と表生地に充填する充填物はミシン加工により、必要形状の衣服を構成する。充填物は羽毛（Ｆｅａｔｈｅｒ）、ダウン（Ｄｏｗｎ）、充填綿（Ｐｏｌｙｆｉｌｌ）または羽毛にダウンなどの成分を加えて構成する。本考案の特徴は、衣服の表生地に透明または半透明材質を使用し、充填物の羽毛、ダウンは必要な色に染めて、充填物の色彩は透明または半透明の表生地より表現させ、新鮮な視覚感覚と美観効果を提供する。さらに、小さい子供に新鮮感と面白さにより、注意力を引きつけて、装着の意欲を促すことができる。【選択図】        図２
0003120912.tif 000002
【実用新案登録請求の範囲】
【請求項１】
表生地（Ｓｕｒｆａｃｅ  Ｆａｂｒｉｃ）、裏生地（Ｌｉｎｉｎｇ）および裏生地と表生地との間の充填物をシン加工により必要な形状の衣服を形成し、この充填物は羽毛（Ｆｅａｔｈｅｒ）、ダウン（Ｄｏｗｎ）、充填綿（Ｐｏｌｙｆｉｌｌ）または羽毛とダウンを加えた成分より構成することを特徴とする一種の充填衣服、
その特徴として、
衣服の表生地は透明または半透明材質であり、羽毛、ダウンを必要な色を染めた充填物により、その色彩は透明または半透明の表生地により表現し、新鮮な視覚感覚と美観効果を提供できることを特徴とする充填衣服。
【請求項２】
表生地は印刷柄（Ｐｒｉｎｔｉｎｇ）加工またはフロック（Ｆｌｏｃｋｉｎｇ）処理を施して、透明または半透明の表生地に柄を持たせて、前記の染色羽毛、ダウンなどの充填物と合わせて、外観上の美観の向上効果を有することを特徴とする請求項１記載の充填衣服。
【請求項３】
表生地はさらに、透明または半透明材質の防湿通気性薄膜（ｗａｔｅｒｐｒｏｏｆ−Ｂｒｅａｔｈａｂｌｅ  Ｆｉｌｍ）を設けて、ダウンまたは細い繊維のはみ出し防止効果を有することを特徴とする請求項１記載の充填衣服。
【請求項４】
充填物の羽毛、ダウンまたは充填綿は一色または一色以上に染めて、色彩変化と様々な視覚上の美観効果を有することを特徴とする請求項１記載の充填衣服。
【考案の詳細な説明】
【技術分野】
【０００１】
本考案は一種の充填物衣服に関わるもので、衣服の充填物に染める色は半透明または透明の表生地材料により表現させ、新鮮な視覚感覚と面白い感じ、美観効果を提供する。
【背景技術】
【０００２】
従来の充填物衣服は図１に示すとおり、主に表生地と裏生地（図示しない）の羽毛、ダウンまたは充填綿などの充填物（図示しない）により、保温効果を提供している。しかし、時代の進歩につれて、衣服の単純な装着および保温機能、または衣服形状の変化は、もはや流行りの潮流に満足できない。よって、絶えずに古いものを退けて、新しいものを出して、生活趣味の多様化に合わせなければならない。
【０００３】
さらに、小さい子供は衣服を着せるとき、特に充填物の厚く、重い衣服を着せるとき、嫌がるや騒ぎだすなど、大人を困惑させている。
本考案人は絶えずに研究および改良を繰り返した結果、本考案の充填物衣服を思案した。
【考案の開示】
【考案が解決しようとする課題】
【０００４】
本考案の主な目的は、衣服内部の羽毛、ダウンまたは充填綿などの充填物の色彩は透明または半透明の表生地により表現させ、新鮮な視覚感覚と美観効果を兼ねた一種の充填物衣服を提供する。
【０００５】
本考案のさらなる一つの目的は、衣服の充填物は通常の保温効果のほか、生み出された新鮮感と面白さにより、装着の意欲を引きつけて、小さい子供の装着の意欲を促す、一種の充填物衣服を提供する。
【課題を解決するための手段】
【０００６】
請求項１の考案は、表生地（Ｓｕｒｆａｃｅ  Ｆａｂｒｉｃ）、裏生地（Ｌｉｎｉｎｇ）および裏生地と表生地との間の充填物をシン加工により必要な形状の衣服を形成し、この充填物は羽毛（Ｆｅａｔｈｅｒ）、ダウン（Ｄｏｗｎ）、充填綿（Ｐｏｌｙｆｉｌｌ）または羽毛とダウンを加えた成分より構成することを特徴とする一種の充填衣服、
その特徴として、
衣服の表生地は透明または半透明材質であり、羽毛、ダウンを必要な色を染めた充填物により、その色彩は透明または半透明の表生地により表現させ、新鮮な視覚感覚と美観効果を提供できるとしている。
請求項２の考案は、表生地は印刷柄（Ｐｒｉｎｔｉｎｇ）加工またはフロック（Ｆｌｏｃｋｉｎｇ）処理を施して、透明または半透明の表生地に柄を持たせて、前記の染色羽毛、ダウンなどの充填物と合わせて、外観上の美観の向上効果を有することを特徴とする請求項１記載の充填衣服としている。
請求項３の考案は、表生地はさらに、透明または半透明材質の防湿通気性薄膜（ｗａｔｅｒｐｒｏｏｆ−Ｂｒｅａｔｈａｂｌｅ  Ｆｉｌｍ）を設けて、ダウンまたは細い繊維のはみ出し防止効果を有することを特徴とする請求項１記載の充填衣服としている。
請求項４の考案は、充填物の羽毛、ダウンまたは充填綿は一色または一色以上に染めて、色彩変化と様々な視覚上の美観効果を有することを特徴とする請求項１記載の充填衣服としている。
【考案の効果】
【０００７】
本考案は以下の向上効果を有する、
（１）衣服内部の羽毛、ダウンまたは充填綿など充填物の色彩は透明または半透明材質の表生地により透視できるため、視覚上の新鮮感と美観効果を提供できる。
（２）衣服の充填物は通常の保温機能のほか、生み出された新鮮感と面白さにより、装着者を引きつけるほか、小さい子供の装着の意欲を促すことができる。
【考案を実施するための最良の形態】
【０００８】
図２、図３に示すものは、本考案による充填物衣服（ａｐｐａｒｅｌ）である。表生地（Ｓｕｒｆａｃｅ  Ｆａｂｒｉｃ）１と裏生地（Ｌｉｎｉｎｇ）２および裏生地と表生地の間に充填し、ミシン加工により、必要形状の衣服１を仕上げる。充填物は羽毛（Ｆｅａｔｈｅｒ）２１、ダウン（Ｄｏｗｎ）２２、充填綿（Ｐｏｌｙｆｉｌｌ）（図示しない）または羽毛２１にダウン２２などの成分を加えて構成する。本実施例において、充填物は羽毛とダウンを含まれる。
【０００９】
その特徴として、衣服１の表生地１１は透明または半透明材質を使用し、充填物の羽毛２１、ダウン２２は必要に応じて、色を染めた上、充填物の色彩は透明または半透明の表生地１１により、表現させ、新鮮な視覚感覚と美観効果を提供する。さらに、小さい子供にとって、その新鮮感と面白さにより、小さい子供の注意力を引きつけて、装着の意欲を促すことができる。
【００１０】
前記の表生地１１は印刷柄（Ｐｒｉｎｔｉｎｇ）（図示しない）処理またはフロック（Ｆｌｏｃｋｉｎｇ）（図示しない）加工を施し、透明または半透明の表生地１１に柄を表した上、前記の色付き羽毛２１、ダウン２２などの充填物と合わせて、外観の美観をさらに向上できる。
【００１１】
図４に示すものは、前記の表生地１１の内層部はさらに、透明または半透明材質の防湿通気性薄膜（Ｗａｔｅｒｐｒｏｏｆ−Ｂｒｅａｔｈａｂｌｅ  Ｆｉｌｍ） １１１を張り合わせて、表生地１１の密度を疎ら （糸の本数を少なくする） にしておく、ダウン２２など細い繊維を持った充填物のはみ出し防止効果を実現する。
【００１２】
前述の羽毛２１、ダウン２２または充填綿（図示しない）などの充填物は一色または一つ以上の色を染めて、色の変化性およびもう一つの美観的な視覚感覚を与えることができる。
【００１３】
前記に説明したとおり、本考案は以下の向上効果を有する、
（１）衣服内部の羽毛２１、ダウン２２または充填綿など充填物の色彩は透明または半透明材質の表生地１１により透視できるため、視覚上の新鮮感と美観効果を提供できる。
（２）衣服の充填物は通常の保温機能のほか、生み出された新鮮感と面白さにより、装着者を引きつけるほか、小さい子供の装着の意欲を促すことができる。
【図面の簡単な説明】
【００１４】
【図１】公知技術の充填物衣服の立体分解図である。
【図２】本考案一実施例の立体概略図である。
【図３】本考案の実施例における部分断面概略図である。
【図４】本考案実施例における、表生地に通気性薄膜を設けた部分断面図である。
【符号の説明】
【００１５】
１１  表生地
１１１  防湿通気性薄膜（Ｗａｔｅｒｐｒｏｏｆ−Ｂｒｅａｔｈａｂｌｅ  Ｆｉｌｍ）
２１  羽毛（Ｆｅａｔｈｅｒ）
２２  ダウン（Ｄｏｗｎ）
３  衣服
３１  表生地
【図１】
0003120912.tif 000003
【図２】
0003120912.tif 000004
【図３】
0003120912.tif 000005
【図４】
0003120912.tif 000006